(57)【要約】【課題】ケーブルを簡単に固定することができ、しかも、ケーブルの配線方向を自由に調整することができるケーブル支持金具を提供する。【解決手段】被固定部材の一側縁を挟着する挟着固定体１０を設ける。挟着固定体１０に着脱自在に連結されるケーブル支持体２０を設ける。被固定部材Ｐの上面に載置する連結支持部１１を挟着固定体１０に設ける。被固定部材Ｐの下面に係止する連結係止部１２を連結支持部１１の両側に延長する。連結支持部１１に回転自在に連結する回転連結部２１をケーブル支持体２０に設ける。ケーブルＱを挟着支持する挟着支持部２２を回転連結部２１の上部に設ける。【選択図】  図１
2015223013.tif 000002
【特許請求の範囲】
【請求項１】
板状の被固定部材にケーブルを固定支持するクリップ状の支持金具において、被固定部材の一側縁を挟着する挟着固定体と、該挟着固定体に着脱自在に連結されケーブルを支持するケーブル支持体とで構成され、挟着固定体は、被固定部材の上面に載置されケーブル支持体を着脱自在に連結する連結支持部と該連結支持部の両側から延長され被固定部材の下面に係止する連結係止部とを備え、ケーブル支持体は、挟着固定体の連結支持部に回転自在に連結される回転連結部と該回転連結部の上部に設けられケーブルを挟着支持する挟着支持部とを備え、被固定部材に固定した挟着固定体の連結支持部にケーブル支持体の回転連結部を回転自在に連結すると共に、ケーブル支持体の挟着支持部にケーブルを挟着してケーブルの向きを調整するように構成したことを特徴とするケーブル支持金具。
【請求項２】
前記挟着固定体は金属材にて形成されると共に、前記連結支持部は相対向する一対の挟着片で上部が開口するように形成され、前記連結係止部は前記連結支持部を中心として左右に延長される支持腕と、該支持腕の両端部から前記被固定部材の下面側に屈曲延長されて該下面側に圧着係止される圧着係止部とが形成された請求項１記載のケーブル支持金具。
【請求項３】
前記ケーブル支持体は合成樹脂材にて形成されると共に、前記回転連結部は前記連結支持部に回転自在に挟着される球状に形成され、前記挟着支持部は、前記回転連結部の上部に形成された板状の支持板と、該支持板の上面に前記回転連結部を中心として左右対称に形成され前記ケーブルを挟着保持する保持具と、支持板の左右端部から前記被固定部材の板面に当接し前記回転連結部の支持力を補強する立設脚とを備えた請求項１記載のケーブル支持金具。
【発明の詳細な説明】
【技術分野】
【０００１】
本発明は、例えば太陽電池モジュールに配線するケーブルを架台に支持するのに好適なケーブル支持金具に係り、特にケーブルの配線方向を選択して固定することができるケーブル支持金具に関するものである。
【背景技術】
【０００２】
従来、太陽電池モジュール等の配線を行う際に、アングル材のフランジや架台等の被固定部材に、クリップ状の支持金具をケーブルと共に挟み付けてケーブルを固定している。この場合、アングル材等の被固定部材に沿った配線や被固定部材に直交する方向に配線が行われる。その際、フランジにケーブルを挟み付けるクリップ状の支持金具では、フランジに沿ってケーブルを固定することはできるが、フランジに直交した状態でケーブルを固定することは困難になっている。
【０００３】
そこで、当出願人は先に、アングル材のフランジのような板状の被固定部材にクリップでケーブルを固定する支持金具において、フランジに沿った配線やフランジに直交する配線ができるケーブル支持金具を特許文献１で提案している。
【０００４】
このケーブル支持金具は、台座金具と係止金具とを組み合わせて使用するもので、フランジに固定した台座金具の圧接体とフランジとの間に、異なった方向から係止金具の差込板を差し込み固定することで、フランジに沿った配線とフランジに直交する配線とを選択してケーブルを支持することができるようにしたものである。
【０００５】
一方、コンベヤーレール等の支持部材にケーブルを支持するケーブル支持具が特許文献２に記載されている。このケーブル支持具は、Ｕ字状に形成された支持具本体と、溝又は穴に抜け止め状に挿入される矢形状の係止脚部を備えたもので、コンベヤーレール等の支持部材に予め開穿された溝や穴に係止脚部を差込み固定し、Ｕ字状に形成された支持具本体にケーブルを支持するものである。
【先行技術文献】
【特許文献】
【０００６】
【特許文献１】特許第５１２６７２５号公報
【特許文献２】特開２００３-３３９１１１号公報
【発明の概要】
【発明が解決しようとする課題】
【０００７】
特許文献１に記載の支持金具は、台座金具と係止金具とを組み合わせることで、フランジに沿った配線とフランジに直交する配線との２方向を選択することは可能になっているが、ケーブルの方向はこの２方向に限定されるので、ケーブルの支持方向を自由に調整することはできなかった。そのため、現場によって異なる条件に対応し、ケーブルの支持方向を自由に調整することは困難であった。また、台座金具と係止金具はいずれも金属材で構成されているので、各金具のエッジ部によりケーブルを傷付ける虞もあった。
【０００８】
一方、特許文献２に記載の支持金具は、コンベヤーレール等の支持部材に予め溝や穴を開穿する必要がある。そのため、太陽電池モジュールのように、ケーブルを支持するために多数の支持金具が必要になる場合には、アングル材のフランジ等に多数の支持用の孔を開穿することになる。したがって、多数の支持金具が必要な配線工事において、予め溝や穴を開穿する工事を伴う支持金具は全く適していない。
【０００９】
そこで、本発明は上述の課題を解消すべく創出されたもので、例えば太陽電池モジュールの配線工事のように、板状の被固定部材に多数の支持金具を固定する配線工事において、支持金具を簡単に固定することができ、しかも、ケーブルの配線方向を自由に調整することができるケーブル支持金具の提供を目的とする。
【課題を解決するための手段】
【００１０】
上述の目的を達成すべく本発明における第１の手段は、板状の被固定部材ＰにケーブルＱを固定支持するクリップ状の支持金具において、被固定部材Ｐの一側縁を挟着する挟着固定体１０と、該挟着固定体１０に着脱自在に連結されケーブルＱを支持するケーブル支持体２０とで構成され、挟着固定体１０は、被固定部材Ｐの上面に載置されケーブル支持体２０を着脱自在に連結する連結支持部１１と該連結支持部１１の両側から延長され被固定部材Ｐの下面に係止する連結係止部１２とを備え、ケーブル支持体２０は、挟着固定体１０の連結支持部１１に回転自在に連結される回転連結部２１と該回転連結部２１の上部に設けられケーブルＱを挟着支持する挟着支持部２２とを備え、被固定部材Ｐに固定した挟着固定体１０の連結支持部１１にケーブル支持体２０の回転連結部２１を回転自在に連結すると共に、ケーブル支持体２０の挟着支持部２２にケーブルＱを挟着してケーブルＱの向きを調整するように構成したことにある。
【００１１】
第２の手段において、前記挟着固定体１０は金属材にて形成されると共に、前記連結支持部１１は相対向する一対の挟着片１１Ａで上部が開口するように形成され、前記連結係止部１２は前記連結支持部１１を中心として左右に延長される支持腕１２Ａと、該支持腕１２Ａの両端部から前記被固定部材Ｐの下面側に屈曲延長されて該下面側に圧着係止される圧着係止部１２Ｂとを形成されたものである。
【００１２】
第３の手段は、前記ケーブル支持体２０は合成樹脂材にて形成されると共に、前記回転連結部２１は前記連結支持部１１に回転自在に挟着される球状に形成され、前記挟着支持部２２は、前記回転連結部２１の上部に形成された板状の支持板２２Ａと、該支持板２２Ａの上面に前記回転連結部２１を中心として左右対称に形成され前記ケーブルＱを挟着保持する保持具２２Ｂと、支持板２２Ａの左右端部から前記被固定部材Ｐの板面に当接し前記回転連結部２１の支持力を補強する立設脚２２Ｃとを備えたものである。
【発明の効果】
【００１３】
本発明の請求項１のごとく、被固定部材Ｐに固定した挟着固定体１０の連結支持部１１にケーブル支持体２０の回転連結部２１を回転自在に連結すると共に、ケーブル支持体２０の挟着支持部２２にケーブルＱを挟着してケーブルＱの向きを調整するように構成したことにより、板状の被固定部材に多数の支持金具が必要な配線工事において、支持金具を簡単に固定することができ、しかも、ケーブルの配線方向を自由に調整することができる。この結果、例えば太陽電池モジュールの配線に好適となり、しかも、ケーブルの配線方向を自由に選択することができる。
【００１４】
請求項２のように、前記挟着固定体１０は金属材にて形成されると共に、前記連結支持部１１は相対向する一対の挟着片１１Ａで上部が開口するように形成され、前記
連結係止部１２は前記連結支持部１１を中心として左右に延長される支持腕１２Ａと、該支持腕１２Ａの両端部から前記被固定部材Ｐの下面側に屈曲延長されて該下面側に圧着係止される圧着係止部１２Ｂとが形成されたものであるから、アングル材のフランジのような板状の被固定部材Ｐに挟着固定体１０を強固に固定することができる。
【００１５】
請求項３のごとく、前記ケーブル支持体２０は合成樹脂材にて形成されると共に、前記回転連結部２１は前記連結支持部１１に回転自在に挟着される球状に形成され、前記挟着支持部２２は、前記回転連結部２１の上部に形成された板状の支持板２２Ａと、該支持板２２Ａの上面に前記回転連結部２１を中心として左右対称に形成され前記ケーブルＱを挟着保持する保持具２２Ｂと、支持板２２Ａの左右端部から前記被固定部材Ｐの板面に当接し前記回転連結部２１の支持力を補強する立設脚２２Ｃとを備えたものであるから、ケーブルＱの挟着作業や配線方向の調整が極めて容易に行えるものである。
【００１６】
しかも、合成樹脂製のケーブル支持体２０により、ケーブルＱを傷付ける虞も解消した。更に、支持板２２Ａの上面に前記回転連結部２１を中心として左右対称に形成され前記ケーブルＱを挟着保持する保持具２２ＢにケーブルＱを挟着すると、左右対称に支持できるので複数のケーブルＱでも安定した状態で支持することができる。また、支持板２２Ａと立設脚２２Ｃにより、ケーブルＱの支持強度を高めることができる。
【図面の簡単な説明】
【００１７】
【図１】本発明の一実施例を示す分解斜視図である。
【図２】本発明の装着状態を示す正面図である。
【図３】本発明の使用状態を示す斜視図である。
【図４】本発明の使用状態を示す斜視図である。
【図５】本発明の挟着固定体を示す正面図である。
【図６】本発明の挟着固定体を示す平面図である。
【図７】（イ）〜（ホ）は、ケーブル支持体の他の実施例を示す斜視図である。
【発明を実施するための形態】
【００１８】
本発明によると、例えば太陽電池モジュールの配線工事のように、板状の被固定部材に多数の支持金具を固定する配線工事において、支持金具を簡単に固定することができ、しかも、ケーブルの配線方向を自由に調整することができるなどといった当初の目的を達成した。
【００１９】
本発明支持金具は、例えばアングル材のフランジのような板状の被固定部材ＰにケーブルＱを固定支持するクリップ状の支持金具であり、挟着固定体１０とケーブル支持体２０とで構成するものである（図１参照）。
【００２０】
挟着固定体１０はステンレス等の金属材で形成された部材で、板状の被固定部材Ｐの一側縁を挟着する。この挟着固定体１０は、連結支持部１１と連結係止部１２とを備えている（図１参照）。連結支持部１１は、ケーブル支持体２０を連結支持する部材で、この連結支持部１１を被固定部材Ｐの上面に載置する（図２参照）。図示の連結支持部１１は、相対向する一対の挟着片１１Ａで上部が開口し、挟着片１１Ａの弾性力にてケーブル支持体２０を連結支持するように形成されている（図１参照）。
【００２１】
挟着固定体１０の連結係止部１２は被固定部材Ｐの下面に係止する部材である。この連結係止部１２は前記連結支持部１１を中心として左右に延長され、支持腕１２Ａと圧着係止部１２Ｂとを備えている（図１参照）。
【００２２】
支持腕１２Ａは、連結支持部１１を中心として左右に延長される腕状部位である（図６参照）。図示例では、被固定部材Ｐの上面に載置する連結支持部１１から被固定部材Ｐの側縁に沿うように延長されている（図３参照）。
【００２３】
そして、支持腕１２Ａの両端部に圧着係止部１２Ｂを設けている（図５参照）。この圧着係止部１２Ｂは、支持腕１２Ａの弾性力にて被固定部材Ｐの下面側に圧着係止されるもので、支持腕１２Ａから被固定部材Ｐの下面側に屈曲延長されている（図３参照）。図示の圧着係止部１２Ｂは、支持腕１２Ａの端部から略Ｌ字状に屈曲延長されたものである（図６参照）。更に、支持腕１２Ａの先端には、鉤形状の折返し突起１２Ｂａが形成されている（図５参照）。この折返し突起１２Ｂａの先端で被固定部材Ｐの下面に対して強力に係止するものである（図２参照）。
【００２４】
ケーブル支持体２０は合成樹脂材にて形成された部材で、ケーブルＱを支持するように形成している（図３参照）。このケーブル支持体２０は、挟着固定体１０の連結支持部１１に回転自在に連結する回転連結部２１と、ケーブルＱを挟着する挟着支持部２２とを備えている（図１参照）。
【００２５】
回転連結部２１は、挟着固定体１０の連結支持部１１に回転自在に連結される球体状の部位である（図１参照）。図示の回転連結部２１は前記連結支持部１１に回転自在に挟着される球状に形成されている。そして、連結支持部１１の上部が開口する挟着片１１Ａ相互間にこの回転連結部２１を挟着して支持することで、ケーブルＱの配線方向を自由に調整するものである（図４参照）。このとき、挟着片１１Ａの挟着部位に嵌合孔１１Ａａを開穿している（図１参照）。そして、回転連結部２１を挟着片１１Ａの円周に沿って挟着することで、回転連結部２１の回転を滑らかにしている（図２参照）。
【００２６】
挟着支持部２２は、ケーブルＱを支持する部材で、回転連結部２１の上部に設けられている（図１参照）。この挟着支持部２２は、更に支持板２２Ａ、保持具２２Ｂ、立設脚２２Ｃを備えている（図２参照）。
【００２７】
支持板２２Ａは、板状の部材で回転連結部２１の頂部に固定している。図示の支持板２２Ａは、回転連結部２１を中心として左右対称に形成されている（図２参照）。
【００２８】
保持具２２Ｂは、ケーブルＱを挟着保持する部材で、支持板２２Ａの上面に設けている。図示の保持具２２Ｂは、ケーブルＱを挿入する開口部２２Ｂaを備えた略コ字状を成す（図２参照）。そして、回転連結部２１を中心として左右対称に並べると共に、各保持具２２Ｂの開口部２２Ｂａを外側に向けて配置している。
【００２９】
立設脚２２Ｃは、被固定部材Ｐの板面に当接する部材で、支持板２２Ａの両端に一対形成されている（図２参照）。この立設脚２２Ｃは、保持具２２Ｂに保持したケーブルＱの荷重を支持するもので、回転連結部２１を中心として左右対称に形成されている。
【００３０】
ケーブル支持体２０の形状は任意に変更することができる（図７参照）。例えば、同図（イ）、（ロ）、（ハ）は、回転連結部２１の形状を変更したものである。このように回転連結部２１の形状は、連結支持部１１に回転自在に連結できるものであれば良いものである。また、同図（ニ）、（ホ）は、保持具２２Ｂの形状を変更した例を示している。この保持具２２Ｂの形状もケーブルＱを挟着支持するものであればよく、保持具２２Ｂの数や開口部２２Ｂａの向きなどは任意に変更することができる。また、保持具２２Ｂに挟着するケーブルＱも丸ケーブルや平ケーブルなど任意に選択できる。
【００３１】
本発明支持金具の使用方法は、挟着固定体１０の連結支持部１１にケーブル支持体２０の回転連結部２１を挟着固定した状態で、被固定部材Ｐの側縁に挟着固定体１０の連結係止部１２を固定する。次に、ケーブル支持体２０の挟着支持部２２にケーブルＱを挟着してケーブルＱの向きを調整するものである。
【００３２】
尚、本発明支持金具では、例えば太陽電池モジュールに配線する際に使用するなど、板状の被固定部材に多数の支持金具が必要な配線工事全般に使用することが可能である。また、本発明の構成は図示例に限定されるものではなく、本発明の要旨を変更しない範囲での設計変更は自由である。
【符号の説明】
【００３３】
Ｐ  被固定部材
Ｑ  ケーブル
１０  挟着固定体
１１  連結支持部
１１Ａ  挟着片
１１Ａａ  嵌合孔
１２  連結係止部
１２Ａ  支持腕
１２Ｂ  圧着係止部
１２Ｂａ  折返し突起
２０  ケーブル支持体
２１  回転連結部
２２  挟着支持部
２２Ａ  支持板
２２Ｂ  保持具
２２Ｂａ  開口部
２２Ｃ  立設脚
【図１】
2015223013.tif 000003
【図２】
2015223013.tif 000004
【図３】
2015223013.tif 000005
【図４】
2015223013.tif 000006
【図５】
2015223013.tif 000007
【図６】
2015223013.tif 000008
【図７】
2015223013.tif 000009